(57)【特許請求の範囲】
【請求項１】
画像が形成されたシートと接触して前記シートを排出部へ排出する排出ローラを有する画像形成装置において、前記排出ローラに装着され、且つ該排出ローラのラジアル方向へ延出されたシート受止部を有する可動受止体と、前記排出ローラの正回転／逆回転に従って前記可動受止体を前記排出ローラの軸長方向へ移動させつつ回転させる伝動方向変換機構とを備えることを特徴とする画像形成装置。
【請求項２】
前記可動受止体はその回転時に前記シートの前記排出部と反対側の辺と当接して該シートを押し出す押出部を設けてある請求項１記載の画像形成装置。
【請求項３】
前記可動受止体は前記伝動方向変換機構に支持されており、該伝動方向変換機構は前記排出ローラの軸長方向へ移動可能としてある請求項１又は２記載の画像形成装置。
【請求項４】
前記可動受止体は前記排出ローラの軸長方向両側に設けてあり、一方の可動受止体の移動を禁止してある請求項１乃至３の何れかに記載の画像形成装置。
【請求項５】
シートに画像を形成する画像形成部と、該画像形成部へ供給すべきシートが収容されたカセット及び該カセット内で摺動することにより前記シートを基準となる位置へ寄せる摺動体と、該摺動体の摺動に連動して前記排出ローラの軸長方向へ移動し、且つ前記可動受止体を移動させる調整体とを備える請求項２乃至４の何れかに記載の画像形成装置。
【請求項６】
前記画像形成部へ前記シートを供給する複数の供給部と、該供給部のシートを取り出す取出部と、該取出部を駆動する駆動手段とを備え、前記取出部が取り出したシートのサイズに対応して前記調整体を移動させるようにしてある請求項５記載の画像形成装置。
【請求項７】
前記可動受止体は前記排出ローラに設けられた螺旋溝と、前記排出ローラの軸長方向に長いカムを有し、前記排出ローラに回転を可能に支持されたカム部材と、前記螺旋溝に挿入された凸部、及び前記カムと係合する係合部とを有しており、前記係合部を前記押出部としてある請求項２乃至６の何れかに記載の画像形成装置。
【請求項８】
前記係合部はその側面に前記カムの長手方向両端との当接を可能としたばねが設けてある請求項７記載の画像形成装置。
【請求項９】
前記可動受止体は前記排出ローラの軸長方向両側に設けてあり、該可動受止体の間で受止められた前記シートに接触して、該シートを湾曲させる従動ローラを設けてある請求項１乃至８の何れかに記載の画像形成装置。
【請求項１０】
画像が形成されたシートと接触して前記シートを排出部へ排出する排出ローラを有する画像形成装置において、前記排出ローラのラジアル方向へ延出されたシート受止部を有し、前記排出ローラの正回転／逆回転に従って該排出ローラの軸長方向への移動を可能とした可動受止体を前記排出ローラに装着してあり、前記可動受止体が前記シートの受止めを解除すべく移動するとき、該可動受止体が移動する方向へ前記シートを偏倚させる偏倚手段を備えていることを特徴とする画像形成装置。
【請求項１１】
前記偏倚手段によって偏倚したシートの偏倚側の辺と当接し、前記シートの偏倚位置を決める位置決め部材を備えている請求項１０記載の画像形成装置。
【請求項１２】
前記排出ローラの軸長方向両側には螺旋溝を設けてあり、前記可動受止体は前記螺旋溝に挿入された凸部を有し、前記排出ローラの軸長方向両側に回転を可能に嵌合してある請求項１０又は１１記載の画像形成装置。
【請求項１３】
シートに画像を形成する画像形成部と、該画像形成部へ供給すべきシートが収容されたカセット及び該カセット内で摺動することにより前記シートを基準となる位置へ寄せる摺動体を有する供給部とを備え、前記偏倚手段によるシートの偏倚方向は前記供給部から排出ローラへ搬送されたシートが排出ローラから排出される排出路に向かわせてある請求項１０又は１２記載の画像形成装置。
【請求項１４】
前記偏倚手段は前記シートとの接触抵抗によって該シートを偏倚させることが可能な摩擦抵抗部材であり、前記可動受止体の一方に設けてある請求項１２又は１３記載の画像形成装置。
【請求項１５】
前記偏倚手段は前記シートが偏倚する側の可動受止体の移動速度を、非偏倚側の可動受止体の移動速度よりも遅くしてある請求項１２又は１３記載の画像形成装置。
【請求項１６】
前記位置決め部材は前記排出ローラの両端側を支持してある支持体に設けられた壁部である請求項１１乃至１５の何れかに記載の画像形成装置。
【請求項１７】
前記位置決め部材は前記可動受止体が前記シートの受止めを解除すべく移動するとき、該可動受止体の移動に従って前記シートが排出される排出路へ進入する可動壁部である請求項１１乃至１５の何れかに記載の画像形成装置。
【請求項１８】
前記可動受止体は前記排出ローラの正回転／逆回転に従う移動とは別に前記排出ローラの軸長方向へ移動可能としてある請求項１０又は１２記載の画像形成装置。
【請求項１９】
前記排出ローラは前記可動受止体が受止めたシートの前記排出部と反対側の辺と当接して該シートを押し出す押出部を設けてある請求項１０又は１２記載の画像形成装置。
【請求項２０】
前記可動受止体は前記排出ローラの軸長方向両側に設けてあり、該可動受止体の間で受止められた前記シートに接触して、該シートを湾曲させる従動ローラを設けてある請求項１０又は１１記載の画像形成装置。
【請求項２１】
前記排出ローラは前記螺旋溝の両端に連なり、前記可動受止体が移動したとき、前記凸部が入る環状溝を有しており、前記排出ローラの回転方向が変わったとき、前記可動受止体にその移動方向への力を加えるばねを備えている請求項１２記載の画像形成装置。
【発明の詳細な説明】
【０００１】
【発明の属する技術分野】
本発明は画像が形成された紙等のシートと接触して前記シートを排出部へ排出する排出ローラを有する画像形成装置に関する。
【０００２】
【従来の技術】
画像形成装置としてのインクジェットプリンタは、画像形成部のノズルから吐出されたインク粒をシートに付着させて画像を形成するように構成されているが、画像が形成されたシート上のインク粒の乾燥は、自然乾燥では概ね３０乃至５０秒が必要とされている。
【０００３】
このように、インクジェットプリンタにあってはシート上のインク粒の乾燥に比較的長時間が必要なため、インクジェットプリンタの画像形成速度（枚数／分）は低くなる。そこで、画像形成の高速化を図るため、画像形成部と、画像が形成されたシートを排出する排出部との間に熱風等にる乾燥手段を設けたインクジェットプリンタが提供されている。しかしながら、このようなインクジェットプリンタでは、パーソナルユースを目的とするプリンタのコンパクト化は不可能である。
【０００４】
以上のような問題点を解決するため、排出ローラから排出されたシートを収容する排出部の上方に、曲率を有する補助部材を配置し、先に排出ローラから排出されたシートが排出部へ排出された後で、排出ローラから排出されつつある後のシートを前記補助部材の曲率に沿って湾曲させ、シートの腰を利用して前記排出部への排出時間を遅らせ、後のシートが先のシートと接触するまでの時間を遅らせるようにした画像形成装置が開発されている。
【０００５】
また、ＵＳＰ．４，７９４，８５９においては、排出ローラから排出されたシートを収容する排出部の両側に、前記排出ローラから排出されたシートを受止める受止体を揺動可能に設けて排出部を２段構造とし、先に排出ローラから排出されたシートを下段に収容し、排出ローラから排出されつつある後のシートを受止体で受止めることにより、後のシートが先のシートと接触する時間を遅らせ、排出ローラからの排出が完了した後、前記受止体を揺動させることによりシートの受止めを解除し、後のシートを下段に収容するように構成された画像形成装置が開示されている。
【０００６】
これら従来の画像形成装置で共通することは、シートの排出部側に補助部材又はシート受止体を設けて、排出ローラから排出されつつある後のシートが、排出部へ先に排出されているシートの画像（未乾燥インク）を擦ってインクの滲みなど先のシートの画像品位の低下を招かないように対応していることである。
【０００７】
【発明が解決しようとする課題】
しかしながら、曲率を有する補助部材が設けられた前者の画像形成装置にあっては、シートが有する腰を利用して後のシートが先のシートと接触する時間を遅らせることだけを主眼とするあまりに、排出ローラから排出されつつあるシートの前記排出部と反対側の辺が完全に排出部へ導かれず、排出ローラの近傍でシートが留まるという問題があった。また、前記補助部材が、排出ローラを支持してある支持体に固定されているため、ユーザが使用する複数のシートサイズへの対応が困難であり、シートサイズによっては、前記補助部材が有用に機能しなくて先のシートの画像を擦る現象の解消とはならないという問題もあった。
【０００８】
また、揺動が可能なシート受止体を有する後者の画像形成装置にあっては、排出ローラを支持してある支持体に一対のシート受止体を設けてあるため、シート排出部分の構造が複雑であり、画像形成装置の小型化を図ることができないと言う問題があった。また、シート受止体が受止めたシートは、排出ローラからの排出が完了した後、シート受止体の揺動によって排出部へ落下されるだけであるため、用紙の排出部での整合性（スタッキング性）が悪くなり、ユーザに不快感を与えることになると言う不具合もあった。
【０００９】
本発明は斯かる事情に鑑みてなされたものであり、主たる目的は排出ローラに、該排出ローラの回転に従って移動する可動受止体を設けることにより、後のシートが先のシートと接触する時間を遅らせることができ、しかも、シート排出部分の構造を簡素化でき、全体の小型化を図ることができる画像形成装置を提供することにある。
【００１０】
また、他の目的は前記可動受止体を回転可能とし、該可動受止体に、その回転時にシートの排出部と反対側の辺と当接して該シートを押し出す押出部を設けたり、排出ローラに前記押出部を設けたりすることにより、シートを排出ローラの近傍で留まらせることなく排出部へ確実に排出させることができる画像形成装置を提供することにある。
【００１１】
さらに、他の目的は前記可動受止体を、排出ローラの回転に従う移動とは別に前記排出ローラの軸長方向への移動を可能とすることにより、サイズが異なるシートに画像が形成される場合においても、排出ローラから排出されたシートをシート受止部で良好に受止めることができる画像形成装置を提供することにある。
【００１２】
また、他の目的は可動受止体がシートの受止めを解除すべく移動するとき、該可動受止体が移動する方向へ前記シートを偏倚させる偏倚手段を備えることにより、シートの辺を揃えることができ、排出部での整合性を良好にできる画像形成装置を提供することにある。
また、他の目的は前記偏倚手段によって偏倚したシートの偏倚側の辺と当接し、前記シートの偏倚位置を決める位置決め部材を備えることにより、シートの辺をより一層良好に揃えることができ、排出部での整合性をより一層良好にできる画像形成装置を提供することにある。
【００１３】
【課題を解決するための手段】
第１発明に係る画像形成装置は、画像が形成されたシートと接触して前記シートを排出部へ排出する排出ローラを有する画像形成装置において、前記排出ローラに装着され、且つ該排出ローラのラジアル方向へ延出されたシート受止部を有する可動受止体と、前記排出ローラの正回転／逆回転に従って前記可動受止体を前記排出ローラの軸長方向へ移動させつつ回転させる伝動方向変換機構とを備えることを特徴とする。
【００１４】
第１発明にあっては、排出ローラから排出されたシートをシート受止部で受止めることができ、排出部へ既に排出されているシートとの接触を遅らせることができるため、排出部へ既に排出されているシートの画像品位を良好に保つことができ、しかも、可動受止体は排出ローラに設けてあり、該排出ローラの回転を利用して移動させるため、シート排出部分の構造を簡素化でき、画像形成装置の小型化を図ることができる。
【００１５】
第２発明に係る画像形成装置は、前記可動受止体はその回転時に前記シートの前記排出部と反対側の辺と当接して該シートを押し出す押出部を設けてあることを特徴とする。
【００１６】
第２発明にあっては、可動受止体が排出ローラの軸長方向へ移動しつつシートの受止めを解除するとき、押出部がシートの排出部と反対側の辺と当接し、該シートを排出部へ押し出すことができるため、シートを排出ローラの近傍で留まらせることなく排出部へ確実に排出させることができ、さらに、排出部でのシートの整合性を良好にできる。
【００１７】
第３発明に係る画像形成装置は、前記可動受止体は前記伝動方向変換機構に支持されており、該伝動方向変換機構は前記排出ローラの軸長方向へ移動可能としてあることを特徴とする。
【００１８】
第３発明にあっては、排出ローラの回転に従う移動とは関係なく、可動受止体によるシート受止位置を変えることができるため、サイズが異なるシートに画像が形成される場合においても、排出ローラから排出されたシートをシート受止部で良好に受止めることができ、排出部へ既に排出されているシートの画像品位を良好に保つことができる。
【００１９】
第４発明に係る画像形成装置は、前記可動受止体は前記排出ローラの軸長方向両側に設けてあり、一方の可動受止体の移動を禁止してあることを特徴とする。
【００２０】
第４発明にあっては、排出ローラの軸長方向へ離間した一対の可動受止体によってシートを良好に受止めることができるとともに、一方の可動受止体を移動操作することにより、シート受止位置をシートのサイズに対応した適切な位置に変化させることができる。
【００２１】
第５発明に係る画像形成装置は、シートに画像を形成する画像形成部と、該画像形成部へ供給すべきシートが収容されたカセット及び該カセット内で摺動することにより前記シートを基準となる位置へ寄せる摺動体と、該摺動体の摺動に連動して前記排出ローラの軸長方向へ移動し、且つ前記可動受止体を移動させる調整体とを備えることを特徴とする。
【００２２】
第５発明にあっては、カセットに収容されるシートのサイズに対応して摺動体が摺動されるとき、該摺動体に追従して可動受止体を移動させることができるため、シートのサイズに対応した可動受止体の位置変更を正確に、しかも、簡易に行うことができる。
【００２３】
第６発明に係る画像形成装置は、前記画像形成部へ前記シートを供給する複数の供給部と、該供給部のシートを取り出す取出部と、該取出部を駆動する駆動手段とを備え、前記取出部が取り出したシートのサイズに対応して前記調整体を移動させるようにしてあることを特徴とする。
【００２４】
第６発明にあっては、取出部が供給部から取り出すシートのサイズに対応して可動受止体を移動させることができるため、シートのサイズに対応した可動受止体の位置変更を正確に、しかも、簡易に行うことができる。
【００２５】
第７発明に係る画像形成装置は、前記可動受止体は前記排出ローラに設けられた螺旋溝と、前記排出ローラの軸長方向に長いカムを有し、前記排出ローラに回転を可能に支持されたカム部材と、前記螺旋溝に挿入された凸部、及び前記カムと係合する係合部とを有しており、前記係合部を前記押出部としてあることを特徴とする。
【００２６】
第７発明にあっては、螺旋溝、カム、凸部及び係合部によって可動受止体の移動速度、移動長さ及び回転角度を設定することができるため、シートの受止め、及び解除をより一層良好に行うことができ、しかも、前記係合部が押出部を兼ねているため、押出部を特別に設ける必要がなく、コストの低減化を図ることができる。
【００２７】
第８発明に係る画像形成装置は、前記係合部はその側面に前記カムの長手方向両端との当接を可能としたばねが設けてあることを特徴とする。
【００２８】
第８発明にあっては、排出ローラの回転に従って可動受止体が移動方向終端位置へ移動したとき、前記ばねに撓みが発生し、排出ローラの回転に従って可動受止体の移動方向が反転するとき、前記ばねの弾性復元力によって可動受止体をその移動方向へ付勢することができるため、可動受止体をスムーズに移動させることができる。
【００２９】
第９発明に係る画像形成装置は、前記可動受止体は前記排出ローラの軸長方向両側に設けてあり、該可動受止体の間で受止められた前記シートに接触して、該シートを湾曲させる従動ローラを設けてあることを特徴とする。
【００３０】
第９発明にあっては、排出ローラの軸長方向へ離間した一対の可動受止体が排出ローラの軸長方向へ離間移動及び回転しつつシートの受止めを解除するとき、シートを比較的大きく湾曲させることができるため、シートの可動受止体に対する位置ずれを少なくすることができ、シートの排出部での整合性を良好にできる。
【００３１】
第１０発明に係る画像形成装置は、画像が形成されたシートと接触して前記シートを排出部へ排出する排出ローラを有する画像形成装置において、前記排出ローラのラジアル方向へ延出されたシート受止部を有し、前記排出ローラの正回転／逆回転に従って該排出ローラの軸長方向への移動を可能とした可動受止体を前記排出ローラに装着してあり、前記可動受止体が前記シートの受止めを解除すべく移動するとき、該可動受止体が移動する方向へ前記シートを偏倚させる偏倚手段を備えていることを特徴とする。
【００３２】
第１０発明にあっては、排出ローラから排出されたシートをシート受止部で受止めることができ、排出部へ既に排出されているシートとの接触を遅らせることができるため、排出部へ既に排出されているシートの画像品位を良好に保つことができ、しかも、可動受止体は排出ローラに設けてあり、該排出ローラの回転を利用して移動させるため、シート排出部分の構造を簡素化でき、画像形成装置の小型化を図ることができる。
さらに、可動受止体が受止めたシートをシートの排出方向に対して直交する方向へ偏倚させるため、シートの辺を揃えることができ、排出部での整合性を良好にできる。
【００３３】
第１１発明に係る画像形成装置は、前記偏倚手段によって偏倚したシートの偏倚側の辺と当接し、前記シートの偏倚位置を決める位置決め部材を備えていることを特徴とする。
【００３４】
第１１発明によれば、偏倚手段によって偏倚したシートを位置決め部材が受止めてシートの偏倚位置を決めるため、シートの辺をより一層良好に揃えることができ、排出部での整合性をより一層良好にできる。
【００３５】
第１２発明に係る画像形成装置は、前記排出ローラの軸長方向両側には螺旋溝を設けてあり、前記可動受止体は前記螺旋溝に挿入された凸部を有し、前記排出ローラの軸長方向両側に回転を可能に嵌合してあることを特徴とする。
【００３６】
第１２発明にあっては、螺旋溝及び凸部によって可動受止体を移動させるため、排出ローラ部分の構造を簡素化することができ、より一層の小型化及びコスト低減化を図ることができる。
【００３７】
第１３発明に係る画像形成装置は、シートに画像を形成する画像形成部と、該画像形成部へ供給すべきシートが収容されたカセット及び該カセット内で摺動することにより前記シートを基準となる位置へ寄せる摺動体を有する供給部とを備え、前記偏倚手段によるシートの偏倚方向は前記供給部から排出ローラへ搬送されたシートが排出ローラから排出される排出路に向かわせてあることを特徴とする。
【００３８】
第１３発明にあっては、可動受止体が受止めたシートを、カセット内で基準となる位置へ寄せられたシートが排出される排出路の方向へ偏倚させるため、シートのサイズに関係なくシートの辺を良好に揃えることができ、排出部での整合性を良好にできる。
【００３９】
第１４発明に係る画像形成装置は、前記偏倚手段は前記シートとの接触抵抗によって該シートを偏倚させることが可能な摩擦抵抗部材であり、前記可動受止体の一方に設けてあることを特徴とする。
【００４０】
第１４発明にあっては、排出ローラの軸長方向へ離間した一対の可動受止体がシートの受止めを解除すべく移動するとき、摩擦抵抗部材とシートとの接触抵抗によってシートを一方の可動受止体が移動する方向へ良好に偏倚させることができ、排出部での整合性を良好にできる。しかも、偏倚手段が可動受止体に設けられた摩擦抵抗部材であるため、偏倚手段の構造が簡単であり、コストの低減化を図ることができる。
【００４１】
第１５発明に係る画像形成装置は、前記偏倚手段は前記シートが偏倚する側の可動受止体の移動速度を、非偏倚側の可動受止体の移動速度よりも遅くしてあることを特徴とする。
【００４２】
第１５発明にあっては、排出ローラの軸長方向へ離間した一対の可動受止体がシートの受止めを解除すべく移動するとき、シートは移動速度が遅い方の可動受止体によって該可動受止体側へ良好に偏倚させることができ、排出部での整合性を良好にできる。しかも、可動受止体の移動速度は前記螺旋溝の形状を変えることにより達成することができるため、偏倚手段の構造が簡単であり、コストの低減化を図ることができる。
【００４３】
第１６発明に係る画像形成装置は、前記位置決め部材は前記排出ローラの両端側を支持してある支持体に設けられた壁部であることを特徴とする。
【００４４】
第１６発明にあっては、偏倚手段が偏倚させたシートを、排出ローラを支持してある支持体に設けられた壁部で受止めることができるため、位置決め部材を特別に設ける必要がなく、コストの低減化を図ることができる。
【００４５】
第１７発明に係る画像形成装置は、前記位置決め部材は前記可動受止体が前記シートの受止めを解除すべく移動するとき、該可動受止体の移動に従って前記シートが排出される排出路へ進入する可動壁部であることを特徴とする。
【００４６】
第１７発明にあっては、可動受止体がシートの受止めを解除すべく移動するときの移動に従って可動壁部がシートの排出路へ進入するため、可動受止体が移動している間にシートが可動壁部と当接し、可動受止体による受止めを解除することができ、排出部での整合性を良好にできる。
【００４７】
第１８発明に係る画像形成装置は、前記可動受止体は前記排出ローラの正回転／逆回転に従う移動とは別に前記排出ローラの軸長方向へ移動可能としてあることを特徴とする。
【００４８】
第１８発明にあっては、排出ローラの回転に従う移動とは関係なく、可動受止体によるシート受止位置を変えることができるため、サイズが異なるシートに画像が形成される場合においても、排出ローラから排出されたシートをシート受止部で良好に受止めることができ、排出部へ既に排出されているシートの画像品位を良好に保つことができる。
【００４９】
第１９発明に係る画像形成装置は、前記排出ローラは前記可動受止体が受止めたシートの前記排出部と反対側の辺と当接して該シートを押し出す押出部を設けてあることを特徴とする。
【００５０】
第１９発明によれば、排出ローラから排出されたシートが可動受止体で受止められたとき、押出部がシートの排出部と反対側の辺と当接し、該シートを押し出すことができるため、シートを排出ローラの近傍で留まらせることなく、排出部へ確実に排出させることができ、さらに、排出部でのシートの整合性を良好にできる。
【００５１】
第２０発明に係る画像形成装置は、前記可動受止体は前記排出ローラの軸長方向両側に設けてあり、該可動受止体の間で受止められた前記シートに接触して、該シートを湾曲させる従動ローラを設けてあることを特徴とする。
【００５２】
第２０発明にあっては、排出ローラの軸長方向へ離間した一対の可動受止体が排出ローラの軸長方向へ離間移動しつつシートの受止めを解除するとき、シートを比較的大きく湾曲させることができるため、シートの可動受止体に対する位置ずれを少なくすることができ、シートの排出部での整合性を良好にできる。
【００５３】
第２１発明に係る画像形成装置は、前記排出ローラは前記螺旋溝の両端に連なり、前記可動受止体が移動したとき、前記凸部が入る環状溝を有しており、前記排出ローラの回転方向が変わったとき、前記可動受止体にその移動方向への力を加えるばねを備えていることを特徴とする。
【００５４】
第２１発明にあっては、排出ローラの回転に従って可動受止体が移動方向終端位置へ移動したとき、前記ばねに撓みが発生し、排出ローラの回転方向が変わったとき、前記ばねの弾性復元力によって凸部を螺旋溝側へ付勢することができるため、凸部を螺旋溝へ確実に進入させることができ、可動受止体をスムーズに移動させることができる。
【００５５】
【発明の実施の形態】
以下本発明をその実施の形態を示す図面に基づいて詳述する。
実施の形態１
図１は本発明に係る画像形成装置の実施の形態１の全体構成を示す斜視図、図２は画像形成装置の構成の一部を示す模式的展開図である。
この画像形成装置は手差し形のカセットを有する供給部１の上方に排出部２を配置したＵ字パスのインクジェットプリンタであり、パーソナルコンピュータ等が出力した画像形成信号に従ってインクを吐出し、紙等のシート上に画像を形成する画像形成部３と、該画像形成部３の一側に配置され、カセット１ａに収容されたシートを前記画像形成部３へ供給する供給部１と、該供給部１の上方に配置され、前記画像形成部３から搬送されたシートを収容する排出部２と、前記供給部１及び前記排出部２の間に設けられた搬送路４と、前記画像形成信号によって前記供給部１からシートを１枚ずつ取り出すピックアップローラ等のシート取出部（図示せず）と、該シート取出部を駆動するモータ等の駆動手段と、前記シート取出部が取り出したシートを前記搬送路４へ供給する供給ローラ５とを備えている。
【００５６】
搬送路４を臨む位置には、図２に示す如く前記供給ローラ５によってシートが供給されたことを検出するセンサ６と、前記画像形成部３へ搬送されるシートの搬送タイミングを前記画像形成信号に基づいて制御し、シートを正確なタイミングで画像形成部３へ搬送する一対の制御ローラ７，７と、前記画像形成部３と向き合うプラテン８と、前記画像形成部３で画像が形成されたシートを排出部２へ排出する排出ローラ９、及び該排出ローラ９の周面と向き合い、前記シートの画像形成面に接触する拍車１０とを備えている。
【００５７】
画像形成部３は、画像形成用のインクを吐出する単数又は複数のインクヘッドと、該インクヘッドを搭載するインクキャリッジと、該インクキャリッジの走査を円滑にさせるべく支持した支持軸とを備え、前記画像形成信号に対応して必要なインクヘッドからインクを吐出し、前記プラテン８上に搬送されたシートに前記インクを付着させることにより画像が形成される。この画像形成時、シートはプラテン８上で一旦停止し、インクキャリッジの１ライン（１方向）の走査が終了した時点でインクヘッドが有する複数のインクノズル分に対応した長さだけ前記シートが搬送される。このように画像形成部３において前記画像形成信号に対応し上記処理が継続して実施されることにより、シート上にインクによる画像が形成される。
【００５８】
図３は排出部を取り除いた供給部側の構成を示す概略平面図である。
供給部１は前記画像形成部３へ供給すべきシートが収容されたカセット１ａ及び該カセット１ａ内で摺動することにより前記シートを基準となる位置、詳しくはカセット１ａの一側に固定された基準位置設定板１ｃ側へ寄せる矩形の摺動体１ｂを有しており、カセット１ａ内へ収容されるシートのサイズに応じて前記摺動体１ｂを摺動させ、シートを基準となる位置へ寄せることができるようにしてある。
【００５９】
図４は排出ローラ部分の構成を示す斜視図、図５は可動受止体を受止位置へ移動させた状態の概略平面図、図６は可動受止体を退避位置へ移動させた状態の概略平面図である。
排出ローラ９は正回転／逆回転が可能としてあり、その一端がギヤ９ｃ等の伝動機構を介してモータ等の駆動源に繋がる軸体９ａと、該軸体９ａの外側に嵌合され、前記シートと接触する複数の輪体９ｂとを備えている。尚、排出ローラ９は前記軸体９ａと輪体９ｂとが一体である構造、又は、輪体９ｂと等径である構造としてもよく、その構造は特に制限されない。
【００６０】
排出ローラ９の軸長方向両側には、排出ローラ９の正回転／逆回転に従って該排出ローラ９の軸長方向への移動、及び回転を可能とした可動受止体２０，２０が伝動方向変換機構３０を介して装着してあり、排出ローラ９の正回転時に可動受止体２０，２０間の距離が短くなる受止位置へ可動受止体２０，２０を移動（図５の矢印Ａ方向）させて排出ローラ９から排出されつつあるシートを該シートが有する腰を利用して受止め、逆回転時に可動受止体２０，２０間の距離が長くなる退避位置へ可動受止体２０，２０を移動（図５の矢印Ｂ方向）させるようにしてある。また、排出ローラ９の逆回転は該排出ローラ９からシートが完全に排出された後、換言すれば、シートの排出部２と反対側の辺が排出ローラ９及び拍車１０による挾持位置を通過した後で行われるようにしてある。
【００６１】
図７は可動受止体の構成を示す斜視図、図８は可動受止体を排出ローラに装着した状態の斜視図である。
この可動受止体２０，２０は、前記排出ローラ９に嵌合される略Ｃ字形の嵌合部２１と、該嵌合部２１の一側から前記排出ローラ９のラジアル方向へ延出された棒形のシート受止部２２と、該シート受止部２２の先端側から前記排出ローラ９の軸長方向へ延出された補助片２３とを備えている。また、前記嵌合部２１の内側には凸部３１が突設されており、嵌合部２１の外側には係合部３２が突設されている。これら凸部３１及び係合部３２は１本のピンによって形成されているが、その他、前記嵌合部２１と一体に成形してもよい。
【００６２】
図９は伝動方向変換機構の構成を示す斜視図、図１０は伝動方向変換機構の構成を示す分解斜視図である。
伝動方向変換機構３０は前記凸部３１と、前記係合部３２と、前記凸部３１が挿入された螺旋溝３３及び該螺旋溝３３の両端に連なり、前記可動受止体２０，２０が移動したとき、前記凸部３１が入る環状溝３４を有する筒形の案内部材３５と、前記排出ローラ９の軸長方向に長い長孔状のカム３６及び該カム３６の長手方向両端側から直角状に曲げられた嵌合片３７ａ，３７ｂを有するカム部材３７とを備えている。カム３６は前記螺旋溝３３と反対方向の螺旋状であり、その両端部が９０度変位しており、また、長手方向中間が前記螺旋溝３３と交叉している。
【００６３】
案内部材３５はその内側が前記軸体９ａの一端側周面にスプライン等によって相対回転を不可能に嵌合し、軸長方向へは移動可能としてある。
また、カム部材３７は静止手段によって前記排出ローラ９の回転に関わらず静止するようにしてあり、該カム部材３７の一方の嵌合片３７ａに設けられた貫通孔に前記軸体９ａが挿入され、他方の嵌合片３７ｂに設けられた半円形の凹部が前記軸体９ａに嵌合された状態で前記係合部３２が前記カム３６と係合しており、排出ローラ９の回転に従って案内部材３５が排出ローラ９と一体で回転するとき、凸部３１の螺旋溝３３に対する位置、及び係合部３２のカム３６に対する位置が夫々変わり、前記可動受止体２０，２０を排出ローラ９の軸長方向へ移動させつつ約９０度回転させるようにしてある。
【００６４】
この可動受止体２０，２０の回転は、排出ローラ９が正回転してシートを排出させているとき、前記凸部３１が前記環状溝３４の一方と係合し、可動受止体２０，２０はシートの排出方向に沿う受止位置で停止しており、前記シートの排出が完了して排出ローラ９が逆回転するとき、受止位置から下向きとなるように回転しつつ退避位置へ移動して鉛直下向きの状態となり、この退避位置で前記凸部３１は環状溝３４の他方と係合し、可動受止体２０，２０の退避状態が維持され、また、この退避状態から排出ローラ９が正回転するとき、退避位置から上向きとなるように回転しつつ受止位置へ移動してシートの排出方向に沿う状態となるようにしてある。尚、可動受止体２０，２０の受止位置及び退避位置間の回転角度は特に制限されない。
【００６５】
図１１(a) は可動受止体を受止位置へ移動させた状態で排出部側から視た正面図、図１１(b) は可動受止体を退避位置へ移動させた状態で排出部側から視た正面図、図１２は凸部と螺旋溝との関係を示す説明図である。
【００６６】
係合部３２の側面には前記カム３６の長手方向両端との当接を可能としたコイル形のばね１１，１２を設けてあり、排出ローラ９の正回転に従って可動受止体２０，２０が受止位置から退避位置へ移動する途中で前記ばね１１がカム３６の一端と当接して該ばね１１に撓みが発生し、可動受止体２０，２０が退避位置へ移動した後、排出ローラ９の正回転に従って可動受止体２０，２０が退避位置から受止位置へ移動するとき、前記ばね１１の弾性復元力によって前記凸部３１を螺旋溝３３の方向へ付勢し、また、可動受止体２０，２０が退避位置から受止位置へ移動する途中で前記ばね１２がカム３６の他端と当接して該ばね１２に撓みが発生し、可動受止体２０，２０が受止位置へ移動した後、排出ローラ９の逆回転に従って可動受止体２０，２０が受止位置から退避位置へ移動するとき、前記ばね１２の弾性復元力によって前記凸部３１を螺旋溝３３の方向へ付勢するようにしてある。
【００６７】
さらに、係合部３２は前記カム部材３７の外側よりも外方へ延出され、その先端側を、排出ローラ９の逆回転に従って可動受止体２０，２０が受止位置から退避位置へ移動する直前で、前記シートの前記排出部２と反対側の辺と当接して該シートを排出部２へ押し出す押出部１３を一体に設けてある。
【００６８】
図１３は押付ローラ部分の構成を示す正面図である。
また、前記排出ローラ９よりもシートの排出側で、排出部２の上方には可動受止体２０，２０の間で受止められ、シートが有する腰によって下向きに湾曲した前記シートの中間及び両側部と接触し、該シートの排出方向への移動により回転する従動ローラ１４を設けてある。
【００６９】
以上の如く構成された画像形成装置において、画像形成部３で画像が形成されたシートは排出ローラ９の正回転によって排出部２へ排出される。このとき、可動受止体２０，２０はシートの排出方向に沿う状態で受止位置に停止し、凸部３１が環状溝３４と係合した状態で排出ローラ９が正回転するため、排出ローラ９から排出されつつあるシートは該シートが有する腰によってシート受止部２２で受止られることになり、排出部２へ既に排出されているシートとの接触を遅らせることができ、排出部２へ既に排出されているシートの画像品位を良好に保つことがでる。尚、排出ローラ９が正回転しているとき、ばね１２の弾性復元力によって凸部３１が環状溝３４内で螺旋溝３３側へ付勢されているため、環状溝３４と螺旋溝３３との連通部では凸部３１が環状溝３４内へ入るが、螺旋溝３３の側壁で押圧されて再度環状溝３４へ戻され、該環状溝３４内で相対移動する（図１２の(a) 参照）。
【００７０】
排出ローラ９によるシートの排出が完了した後、該排出ローラ９は逆回転する。このとき、ばね１２の弾性復元力によって凸部３１が螺旋溝３３側へ付勢されているため、凸部３１の螺旋溝３３との係合を確実にでき（図１２の(b) 参照）、排出ローラ９の逆回転に従って可動受止体２０，２０をスムーズに移動させつつ下向となるように回転させ、可動受止体２０，２０間の距離が長くなる退避位置へ移動させることができ、この退避位置へ到達する直前で可動受止体２０，２０の係合部３２に設けられた押出部１３がシートの排出部２と反対側の辺と当接し、該シートを排出方向へ押し出すことができるため、シートを排出ローラ９の近傍で留まらせることなく排出部２へ確実に排出させることができ、さらに、排出部２でのシートの整合性を良好にできる。尚、排出ローラ９が逆回転しているとき、ばね１１の弾性復元力によって凸部３１が環状溝３４内で螺旋溝３３側へ付勢されているため、環状溝３４と螺旋溝３３との連通部では凸部３１が環状溝３４内へ入るが、この凸部３１は螺旋溝３３の側壁で押圧されて再度環状溝３４へ戻され、該環状溝３４内で相対移動する（図１２の(c) 参照）。
【００７１】
また、可動受止体２０，２０が移動及び回転しつつシートの受止めを解除するとき、可動受止体２０，２０が受止めているシートは従動ローラ１４と接触し、シートを比較的大きく湾曲させることができるため、シートの可動受止体２０，２０に対する位置ずれを少なくすることができ、シートの排出部２での整合性を良好にできる。
【００７２】
可動受止体２０，２０が受止めたシートを排出した後、排出ローラ９は正回転する。このとき、ばね１１の弾性復元力によって凸部３１が螺旋溝３３側へ付勢されているため、凸部３１の螺旋溝３３との係合を確実にでき（図１２の(d) 参照）、排出ローラ９の正回転に従って可動受止体２０，２０を移動させつつシートの排出方向となるように回転させ、可動受止体２０，２０間の距離が短くなる受止位置へ移動させることができる。
【００７３】
実施の形態２
図１４は実施の形態２の排出ローラ部分の平面図である。
実施の形態２の画像形成装置は、前記摺動体ｂの一側に接触することが可能な接触部を有する調整体１５（図３参照）を、前記排出ローラ９の一端側、詳しくは軸体９ａの一端側に軸受を介して排出ローラ９の軸長方向へ移動可能に設け、前記摺動体１ｂを摺動させることにより前記調整体１５を押付けて移動させ、一対の可動受止体２０，２０の他方を移動させ、他方の可動受止体２０の位置を調整し、可動受止体２０，２０間の間隔を変更するようにし、さらに、前記従動ローラ１４の配置位置を変更するようにしたものである。
【００７４】
実施の形態２において、前記供給部１のカセット１ａ内は前記した如く摺動体１ｂを操作することによりシートのサイズに応じてシートを基準となる位置、即ち、前記基準位置設定板１ｃ側へ寄せることができるようにしてあるため、平面視で前記基準位置設定板１ｃ側となる一方の可動受止体２０の移動を禁止し、平面視で前記基準位置設定板１ｃと反対側となる他方の可動受止体２０を移動可能としてある。
【００７５】
実施の形態２にあっては、前記排出ローラ９の正回転／逆回転に従う移動とは関係なく、前記摺動体１ｂを操作することにより可動受止体２０，２０の受止位置を変えることができるため、サイズが異なるシートに画像が形成される場合においても、シートのサイズに応じた位置に可動受止体２０，２０を配置させることができ、排出ローラ９から排出されたシートをシート受止部２２，２２で良好に受止めることができる。尚、可動受止体２０，２０の受止位置を変えるとき、案内部材３５と干渉する１つの前記輪体９ｂを移動させてもよい。
【００７６】
その他の構成及び作用は実施の形態１と同様であるため、同様の部品については同じ符号を付し、その詳細な説明及び作用の説明を省略する。
【００７７】
実施の形態３
図１５(a) は実施の形態３の排出ローラ部分の分解した斜視図、図１５(b) は実施の形態３の排出ローラ部分の斜視図である。
実施の形態３の画像形成装置は、前記調整体１５を前記摺動体１ｂの摺動に連動して移動可能とし、摺動体１ｂの摺動に前記調整体１５を連動させ、該調整体１５を介して前記可動受止体２０，２０の他方を移動させるようにしたものである。
【００７８】
実施の形態３において、前記調整体１５は円板形に形成してあり、また、前記摺動体１ｂの長手方向一端には前記調整体１５の外周部と係合する凹部１ｄを有し、摺動体１ｂの摺動により凹部１ｄを介して調整体１５を移動させることができるようにしてある。
【００７９】
実施の形態３にあっては、カセット１ａ内に収容されるシートのサイズに応じて摺動体１ｂを摺動させ、シートを基準となる位置へ寄せるとき、摺動体１ｂの摺動に連動して調整体１５が移動し、該調整体１５と向き合う可動受止体２０を移動させることができる。従って、シートのサイズに対応した可動受止体２０の位置変更を正確に、しかも、簡易に行うことができる。
【００８０】
その他の構成及び作用は実施の形態１と同様であるため、同様の部品については同じ符号を付し、その詳細な説明及び作用の説明を省略する。
【００８１】
実施の形態４
実施の形態４の画像形成装置は、前記調整体１５を移動させるため、前記カセット１ａ及び摺動体１ｂを有する前記供給部１を積層配置された複数とし、前記供給部１からシートを１枚ずつ取り出すピックアップローラ等の前記シート取出部を複数とし、前記画像形成信号によってシート取出部が取り出したシートのサイズに対応して前記調整体１５を移動させ、該調整体１５の移動に追従して前記可動受止体２０，２０の他方を移動させるようにしたものである。
【００８２】
実施の形態４において、前記調整体１５は前記画像形成信号によって駆動される電磁ソレノイド等の移動手段に連なり、前記シート取出部の１つが駆動されるとき、前記移動手段を作動させるようにしてある。
【００８３】
実施の形態４にあっては、シート取出部が供給部１から取り出すシートのサイズに対応して可動受止体２０，２０を移動させることができるため、シートのサイズに対応した可動受止体２０，２０の位置変更を正確に、しかも、簡易に行うことができる。
【００８４】
その他の構成及び作用は実施の形態１と同様であるため、同様の部品については同じ符号を付し、その詳細な説明及び作用の説明を省略する。
【００８５】
実施の形態５
図１６は可動受止体を受止位置へ移動させた状態の概略平面図、図１７は可動受止体を退避位置へ移動させた状態の概略平面図、図１８は可動受止体を排出ローラに装着した状態の斜視図、図１９(a) は可動受止体を受止位置へ移動させた状態で排出部側から視た正面図、図１９(b) は可動受止体を退避位置へ移動させた状態で排出部側から視た正面図、図２０は排出ローラ部分の構成を示す平面図である。
【００８６】
実施の形態５の画像形成装置は、前記可動受止体２０，２０を排出ローラ９の軸長方向への移動及び回転を可能とする代わりに、前記可動受止体２０，２０の回転を禁止し、該可動受止体２０，２０を排出ローラ９の正回転／逆回転に従って前記軸長方向へ移動可能とし、該可動受止体２０，２０が前記シートの受止めを解除すべく退避位置へ移動するとき、他方の可動受止体２０が移動する方向へ前記シートを偏倚させる偏倚手段１７と、該偏倚手段１７によって偏倚したシートの偏倚側の辺と当接し、前記シートの偏倚位置を決める位置決め部材１８とを設けたものである。尚、前記可動受止体２０，２０の回転禁止は、前記排出ローラ９が支持された支持体から前記補助片２３の移動域を臨む位置へ延出された回転規制片によってなされる。
【００８７】
図２１は押出部の構成を示す側面図である。
実施の形態５において、可動受止体２０，２０は回転を禁止してあるため、実施の形態１におけるカム部材３７及び係合部３２をなくしてあり、該係合部３２に設けられていた前記ばね１１，１２を、前記シート受止部２２に突設されたばね受体２４に設け、さらに、前記ばね１１，１２の移動域に前記ばね１１，１２が当接する当接壁４４，４５を設け、排出ローラ９の正回転／逆回転に従って可動受止体２０，２０が受止位置及び退避位置へ移動する途中で前記ばね１１，１２が前記当接壁４４又は４５に当接して撓むようにし、さらに、前記係合部３２と一体に設けられていた押出部１３に代えて前記排出ローラ９に、排出ローラ９からシートが完全に排出されたとき前記シートの前記排出部２と反対側の辺と当接して該シートを排出部２へ押し出す押出部１９を設けてある。この押出部１９は前記軸体９ａに嵌合する嵌合孔を有する円板の外側に鋸歯形の複数の歯を設けてあり、該歯の１つが前記シートの辺と当接するようにしてある。尚、前記当接壁４４，４５は前記排出ローラ９の軸体９ａに相対回転を可能に設けてある。また、前記押出部１９は前記案内部材３５と一体としてもよい。
【００８８】
偏倚手段１７によるシートの偏倚方向は前記供給部１から排出ローラ９へ搬送されたシートが排出ローラ９から排出されるとき排出路に向かわせてある。
【００８９】
偏倚手段１７は前記シートとの接触抵抗によって該シートを前記位置決め部材１８に向けて偏倚させることが可能な摩擦係数が比較的高い摩擦抵抗部材４０であり、該摩擦抵抗部材４０が前記可動受止体２０，２０の他方に設けてある。
【００９０】
位置決め部材１８は排出ローラ９の両端側を支持してある支持体４１に設けられた一方の壁部１８ａとしてある。
【００９１】
実施の形態５にあっては、画像形成部３で画像が形成されたシートが排出ローラ９の正回転によって排出部２へ排出されるとき、可動受止体２０，２０はシートの排出方向に沿う状態で受止位置に停止し、凸部３１が環状溝３４と係合した状態で排出ローラ９が正回転するため、排出ローラ９から排出されつつあるシートはシート受止部２２，２２で受止られることになり、排出部２へ既に排出されているシートとの接触を遅らせることができ、排出部２へ既に排出されているシートの画像品位を良好に保つことがでる。
【００９２】
排出ローラ９によるシートの排出が完了したとき、前記排出ローラ９に設けられた押出部１９がシートの排出部２と反対側の辺と当接し、該シートを排出方向へ押し出すことができるため、シートを排出ローラ９の近傍で留まらせることなく排出部２へ確実に排出させることができ、さらに、排出部２でのシートの整合性を良好にできる。
【００９３】
以上の如く排出ローラ９によるシートの排出が完了した後、該排出ローラ９は逆回転する。このとき、ばね１２の弾性復元力によって凸部３１が環状溝３４内で螺旋溝３３側へ付勢されているため、凸部３１の螺旋溝３３との係合を確実にでき、排出ローラ９の逆回転に従って可動受止体２０，２０を、可動受止体２０，２０間の距離が長くなる退避位置へスムーズに移動させることができる。しかも、この可動受止体２０，２０が移動するとき、他方の可動受止体２０とシートとの接触抵抗は一方の可動受止体２０とシートとの摩擦抵抗に比べて大きくしてあるため、シートを他方の可動受止体２０が移動する方向へ良好に偏倚させることができ、さらに、この偏倚させたシートを支持体４１に設けられた壁部１８ａで受止めることができるため、シートの辺を揃えることができ、この後で可動受止体２０，２０上のシートを排出部へ落下排出させる。
【００９４】
さらに、可動受止体２０，２０が移動しつつシートの受止めを解除するとき、可動受止体２０，２０が受止めているシートは従動ローラ１４と接触し、シートを比較的大きく湾曲させることができるため、シートの可動受止体２０，２０に対する位置ずれを少なくすることができ、シートの排出部２での整合性を良好にできる。そして、可動受止体２０，２０が受止位置から退避位置へ移動する途中で前記シートを排出部２へ落下させて排出することができる。
【００９５】
可動受止体２０，２０が受止めたシートを排出部２へ落下排出させた後、排出ローラ９は正回転する。このとき、ばねの弾性復元力によって凸部３１が螺旋溝３３側へ付勢されているため、凸部３１の螺旋溝３３との係合を確実にでき、排出ローラ９の正回転に従って可動受止体２０，２０を、可動受止体２０，２０間の距離が短くなる受止位置へスムーズに移動させることができる。
【００９６】
その他の構成及び作用は実施の形態１と同様であるため、同様の部品については同じ符号を付し、その詳細な説明及び作用の説明を省略する。
【００９７】
実施の形態６
図２２は実施の形態６の構成を示す排出ローラ部分の平面図である。
実施の形態６の画像形成装置は、前記偏倚手段１７として、前記シートが偏倚する側の可動受止体２０の移動速度VLを、非偏倚側の可動受止体２０，２０の移動速度VRよりも遅くし、この移動速度が速い可動受止体２０，２０がシートに対して滑りが発生し易いようにしたものである。
【００９８】
実施の形態６において、前記移動速度は、前記伝動方向変換機構３０の一方の螺旋溝３３の傾斜角度を、伝動方向変換機構３０の他方の螺旋溝３３の傾斜角度よりも小さくし、排出ローラ９の１回転に対する軸長方向移動量を少なくすることにより達成することができる。
【００９９】
実施の形態６にあっては、排出ローラ９の逆回転に従って可動受止体２０，２０が退避位置へ移動するとき、シートは移動速度が遅い方の可動受止体２０によって該可動受止体２０，２０側へ良好に偏倚させることができ、さらに、この偏倚させたシートを支持体４１に設けられた壁部１８ａで受止めることができるため、シートの辺を揃えることができ、この後で可動受止体２０，２０上のシートを排出部へ落下排出させる。
【０１００】
その他の構成及び作用は実施の形態１と同様であるため、同様の部品については同じ符号を付し、その詳細な説明及び作用の説明を省略する。
【０１０１】
実施の形態７
図２３は実施の形態７の構成を示す模式的説明図である。
実施の形態７の画像形成装置は、前記位置決め部材１８としての前記壁部１８ａを支持体４１に対して前記シートの排出路へ進入する進入位置と排出路から後退する後退位置とに移動可能に設け、該壁部１８ａの排出路と反対側の面に当接部材４２を突設し、さらに、前記可動受止体２０，２０の退避位置と前記壁部１８ａとの間にその長手方向中間が枢着された揺動アーム４３を設け、前記可動受止体２０，２０が退避位置へ移動するとき、該可動受止体２０，２０の補助片２３が前記揺動アーム４３の一端側と当接し、該揺動アーム４３を揺動させつつ揺動アーム４３の他端側が前記当接部材４２と当接し、前記壁部１８ａを前記排出路へ進入させるようにしたものである。
【０１０２】
この実施の形態７にあっては、可動受止体２０，２０に受止められているシートの受止めが解除される前にシートの辺が壁部１８ａに当接して該シートの辺を揃えることができるため、可動受止体２０，２０の移動速度が同じ場合に生ずる用紙の辺の不揃いをなくすることができる。
【０１０３】
その他の構成及び作用は実施の形態１と同様であるため、同様の部品については同じ符号を付し、その詳細な説明及び作用の説明を省略する。
【０１０４】
尚、以上説明した実施の形態では案内部材３５を排出ローラ９に移動可能に嵌合したが、その他、この案内部材３５は排出ローラ９と一体としてもよい。
また、以上説明した実施の形態はその複数を組み合わせた構成としてもよい。また、以上説明した実施の形態ではＵ字パスのインクジェットプリンタについて説明したが、本発明の画像形成装置の構成は特に制限されない。
【０１０５】
【発明の効果】
以上詳述した如く第１発明によれば、排出ローラから排出されつつあるシートを受止める可動受止体は排出ローラに設けてあり、該排出ローラの回転を利用して移動させるため、シート排出部分の構造を簡素化でき、画像形成装置の小型化を図ることができ、しかも、シートの画像品位を良好に保つことができる。
【０１０６】
第２発明によれば、シートを排出ローラの近傍で留まらせることなく排出部へ確実に排出させることができ、さらに、排出部でのシートの整合性を良好にできる。
【０１０７】
第３発明によれば、サイズが異なるシートに画像が形成される場合においても、排出ローラから排出されたシートをシート受止部で良好に受止めることができ、排出部へ既に排出されているシートの画像品位を良好に保つことができる。
【０１０８】
第４発明によれば、排出ローラの軸長方向へ離間した一対の可動受止体によってシートを良好に受止めることができるとともに、一方の可動受止体を移動操作することにより、シート受止位置をシートのサイズに対応した適切な位置に変化させることができる。
【０１０９】
第５発明によれば、カセットに収容されるシートのサイズに対応して摺動体が摺動されるとき、該摺動体に追従して可動受止体を移動させることができるため、シートのサイズに対応した可動受止体の位置変更を正確に、しかも、簡易に行うことができる。
【０１１０】
第６発明によれば、取出部が供給部から取り出すシートのサイズに対応して可動受止体を移動させることができるため、シートのサイズに対応した可動受止体の位置変更を正確に、しかも、簡易に行うことができる。
【０１１１】
第７発明によれば、螺旋溝、カム、凸部及び係合部によって可動受止体の移動速度、移動距離及び回転角度を設定することができるため、シートの受止め、及び解除をより一層良好に行うことができ、しかも、前記係合部が押出部を兼ねているため、押出部を特別に設ける必要がなく、コストの低減化を図ることができる。
【０１１２】
第８発明によれば、排出ローラの回転に従って可動受止体を移動させるとき、ばねを撓ませ、排出ローラの回転に従って可動受止体の移動方向が反転するとき、前記ばねの弾性復元力によって可動受止体をその移動方向へ付勢することができるため、可動受止体をスムーズに移動させることができる。
【０１１３】
第９発明によれば、排出ローラの軸長方向へ離間した一対の可動受止体が排出ローラの軸長方向へ離間移動及び回転しつつシートの受止めを解除するとき、シートを比較的大きく湾曲させることができるため、シートの可動受止体に対する位置ずれを少なくすることができ、シートの排出部での整合性を良好にできる。
【０１１４】
第１０発明によれば、排出ローラから排出されつつあるシートを受止める可動受止体は排出ローラに設けてあり、該排出ローラの回転を利用して移動させるため、シート排出部分の構造を簡素化でき、画像形成装置の小型化を図ることができ、しかも、シートの画像品位を良好に保つことができる。
【０１１５】
第１１発明によれば、偏倚手段によって偏倚したシートを位置決め部材が受止めてシートの偏倚位置を決めるため、シートの辺をより一層良好に揃えることができ、排出部での整合性をより一層良好にできる。
【０１１６】
第１２発明によれば、螺旋溝及び凸部によって可動受止体を移動させるため、排出ローラ部分の構造を簡素化することができ、より一層の小型化及びコスト低減化を図ることができる。
【０１１７】
第１３発明によれば、摺動体の操作によってカセット内の位置が調整されたシートが排出ローラから排出される排出路の方向へ偏倚させるため、シートのサイズに関係なくシートの辺を良好に揃えることができ、排出部での整合性を良好にできる。
【０１１８】
第１４発明によれば、排出ローラの軸長方向へ離間した一対の可動受止体がシートの受止めを解除すべく移動するとき、摩擦抵抗部材とシートとの接触抵抗によってシートを一方の可動受止体が移動する方向へ良好に偏倚させることができ、排出部での整合性を良好にできる。しかも、偏倚手段が可動受止体に設けられた摩擦抵抗部材であるため、偏倚手段の構造が簡単であり、コストの低減化を図ることができる。
【０１１９】
第１５発明によれば、排出ローラの軸長方向へ離間した一対の可動受止体がシートの受止めを解除すべく移動するとき、シートは移動速度が遅い方の可動受止体によって該可動受止体側へ良好に偏倚させることができ、排出部での整合性を良好にできる。しかも、可動受止体の移動速度は前記螺旋溝の形状を変えることにより達成することができるため、偏倚手段の構造が簡単であり、コストの低減化を図ることができる。
【０１２０】
第１６発明によれば、偏倚手段が偏倚させたシートを、排出ローラを支持してある支持体に設けられた壁部で受止めることができるため、位置決め部材を特別に設ける必要がなく、コストの低減化を図ることができる。
【０１２１】
第１７発明によれば、可動受止体がシートの受止めを解除すべく移動するときの移動に従って可動壁部がシートの排出路へ進入するため、可動受止体が移動している間にシートが可動壁部と当接し、可動受止体による受止めを解除することができ、排出部での整合性を良好にできる。
【０１２２】
第１８発明によれば、排出ローラの回転に従う移動とは関係なく、可動受止体によるシート受止位置を変えることができるため、サイズが異なるシートに画像が形成される場合においても、排出ローラから排出されたシートをシート受止部で良好に受止めることができ、排出部へ既に排出されているシートの画像品位を良好に保つことができる。
【０１２３】
第１９発明によれば、排出ローラから排出されたシートが可動受止体で受止められたとき、押出部がシートの排出部と反対側の辺と当接し、該シートを押し出すことができるため、シートを排出ローラの近傍で留まらせることなく、排出部へ確実に排出させることができ、さらに、排出部でのシートの整合性を良好にできる。
【０１２４】
第２０発明によれば、排出ローラの軸長方向へ離間した一対の可動受止体が排出ローラの軸長方向へ離間移動しつつシートの受止めを解除するとき、シートを比較的大きく湾曲させることができるため、シートの可動受止体に対する位置ずれを少なくすることができ、シートの排出部での整合性を良好にできる。
【０１２５】
第２１発明によれば、排出ローラの回転に従って可動受止体を移動させるとき、ばねを撓ませ、排出ローラの回転に従って可動受止体の移動方向が反転するとき、前記ばねの弾性復元力によって可動受止体をその移動方向へ付勢することができるため、可動受止体をスムーズに移動させることができる。
【図面の簡単な説明】
【図１】本発明に係る画像形成装置の実施の形態１の全体構成を示す斜視図である。
【図２】本発明に係る画像形成装置の構成の一部を示す模式的展開図である。
【図３】本発明に係る画像形成装置の排出部を取り除いた供給部側の構成を示す概略平面図である。
【図４】本発明に係る画像形成装置の排出ローラ部分の構成を示す斜視図である。
【図５】本発明に係る画像形成装置の可動受止体を受止位置へ移動させた状態の概略平面図である。
【図６】本発明に係る画像形成装置の可動受止体を退避位置へ移動させた状態の概略平面図である。
【図７】本発明に係る画像形成装置の可動受止体の構成を示す斜視図である。
【図８】本発明に係る画像形成装置の可動受止体を排出ローラに装着した状態の斜視図である。
【図９】本発明に係る画像形成装置の伝動方向変換機構の構成を示す斜視図である。
【図１０】本発明に係る画像形成装置の伝動方向変換機構の構成を示す分解斜視図である。
【図１１】本発明に係る画像形成装置の構成を示すもので、(a) は可動受止体を受止位置へ移動させた状態で排出部側から視た正面図、(b) は可動受止体を退避位置へ移動させた状態で排出部側から視た正面図である。
【図１２】本発明に係る画像形成装置の凸部と螺旋溝との関係を示す説明図である。
【図１３】本発明に係る画像形成装置の押付ローラ部分の構成を示す正面図である。
【図１４】本発明に係る画像形成装置の実施の形態２の排出ローラ部分の平面図である。
【図１５】本発明に係る画像形成装置の実施の形態３の構成を示すもので、(a) は排出ローラ部分の分解した斜視図であり、(b) は排出ローラ部分の斜視図である。
【図１６】本発明に係る画像形成装置の可動受止体を受止位置へ移動させた状態の概略平面図である。
【図１７】本発明に係る画像形成装置の実施の形態５の可動受止体を退避位置へ移動させた状態の概略平面図である。
【図１８】本発明に係る画像形成装置の実施の形態５の可動受止体を排出ローラに装着した状態の斜視図である。
【図１９】本発明に係る画像形成装置の実施の形態５の構成を示すもので、(a) は可動受止体を受止位置へ移動させた状態で排出部側から視た正面図、(b) は可動受止体を退避位置へ移動させた状態で排出部側から視た正面図である。
【図２０】本発明に係る画像形成装置の実施の形態５の排出ローラ部分の構成を示す平面図である。
【図２１】本発明に係る画像形成装置の実施の形態５押出部の構成を示す側面図である。
【図２２】本発明に係る画像形成装置の実施の形態６の構成を示す排出ローラ部分の平面図である。
【図２３】本発明に係る画像形成装置の実施の形態７の構成を示す模式的説明図である。
【符号の説明】
１    供給部
１ａ  カセット
１ｂ  摺動体
２    排出部
３    画像形成部
９    排出ローラ
２０  可動受止体
２２  シート受止部
３１  凸部
３２  係合部
３３  螺旋溝
３５  案内部材
３６  カム
３７  カム部材
１１，１２  ばね
１３，１９  押出部
１４  押付けローラ
１５  調整体
１７  偏倚手段
１８  位置決め部材
１８ａ  壁部
４０  摩擦抵抗部材
【図１】
0003758980.tif 000002
【図２】
0003758980.tif 000003
【図３】
0003758980.tif 000004
【図４】
0003758980.tif 000005
【図５】
0003758980.tif 000006
【図６】
0003758980.tif 000007
【図７】
0003758980.tif 000008
【図８】
0003758980.tif 000009
【図９】
0003758980.tif 000010
【図１０】
0003758980.tif 000011
【図１１】
0003758980.tif 000012
【図１２】
0003758980.tif 000013
【図１３】
0003758980.tif 000014
【図１４】
0003758980.tif 000015
【図１５】
0003758980.tif 000016
【図１６】
0003758980.tif 000017
【図１７】
0003758980.tif 000018
【図１８】
0003758980.tif 000019
【図１９】
0003758980.tif 000020
【図２０】
0003758980.tif 000021
【図２１】
0003758980.tif 000022
【図２２】
0003758980.tif 000023
【図２３】
0003758980.tif 000024